(57)【特許請求の範囲】
【請求項１】
構造体の屋外側に外壁材を積層してなる躯体の開口部を開閉するシャッターカーテンと、開口部の左右両側を構成する構造体の屋外側面に固定される左右一対の下地枠と、これら下地枠に着脱自在にそれぞれ固定され、シャッターカーテンの左右両側部を移動案内するガイド溝を備えた左右一対のガイドレールとを備えた建築用シャッター装置において、下地枠を、構造体に固定される固定片と、該固定片から屋外側に向けて延出し、左右方向に対向する一対の内、外側片とを備えて構成し、前記内、外側片の屋外側部位にガイドレールの屋内側部位を固定するにあたり、ガイドレールの溝底片は、下地枠の外側片よりも左右方向内側に偏倚していて、下地枠のガイドレール溝底片よりも左右方向外方部位にはガイドレールが積層されないスペースが形成されたものとし、該スペースに、ガイドレール溝底片に突当てられる突当て片と、該突当て片の屋外側端縁から左右方向外方に延出して屋外側に露出する露出片と、該露出片の左右方向外端縁から屋内側に延出して下地枠の外側片に沿う支持片とにより形成された補助枠を配設して、支持片の延出端部である固定片を下地枠外側片に左右方向外方から内方に向けて突当てた状態で固定すると共に、支持片と外壁材とのあいだを封止材を介して封止したことを特徴とする建築用シャッター装置におけるガイドレール取付け構造。
【請求項２】
補助枠は、金属製板材を折曲して形成されていることを特徴とする請求項１に記載の建築用シャッター装置におけるガイドレール取付け構造。
【発明の詳細な説明】
【技術分野】
【０００１】
本発明は、建築物、特に住宅の窓部に設けられる建築用シャッター装置におけるガイドレール取付け構造の技術分野に関するものである。
【背景技術】
【０００２】
一般に、住宅等の建築物の開口部に、窓装置とともに該窓装置の屋外側に建築用のシャッター装置を設けることがある。この場合に、シャッター装置は外部に露出して設けられるため、シャッターカーテンの左右両側部を移動案内する左右一対のガイドレールと躯体の外壁材とのあいだを封止することが要求されるが、シャッター装置のメンテナンスやリフォームを考慮すると、ガイドレールを躯体から容易に取外せる構成とすることが好ましい。
一方、建築物の躯体としては、構造体の屋外側に断熱材を介して外壁材（サイディング）を積層状に設ける構成としたものがあり、このような躯体の開口部に対して窓装置とシャッター装置の両者を設ける場合、シャッター装置は窓装置を覆うように設けられるため、シャッターカーテンの両側を移動案内するガイドレールは窓装置の屋外側で、かつ、左右方向外側に位置するように取付けられる。このようなガイドレールの取付け例としては、窓装置を開口部を構成する構造体の開口端面に設ける一方、開口部を構成する構造体の左右両側における屋外側面にそれぞれ下地枠を固定し、これら各下地枠に左右一対のガイドレールを着脱自在に固定するとともに、外壁と下地枠とのあいだを封止材を介して封止する構成として、ガイドレールを躯体から容易に取外せるようにしたものが提唱されている。
【先行技術文献】
【特許文献】
【０００３】
【特許文献１】特開２０００−１５４６８６号公報
【発明の概要】
【発明が解決しようとする課題】
【０００４】
ところで、近年、躯体に高い強度や断熱性を付与するため、外壁材自体の厚さや、構造体と外壁材との間に介装される断熱材を厚くするようにしたものが提唱されており、構造体から外壁材の屋外側面に至る見込み寸法が建築物毎に異なり長短様々となっている。このため、前記従来のように、予め見込み寸法が設定された下地枠を用いる構成では、下地枠の見込み寸法よりも構造体から外壁材の屋外側面に至る見込み寸法が長くなって、外壁材の屋外側面がガイドレールの溝底片側に至ることがあり、この場合では、下地枠と外壁材との封止が難しく、不完全な封止になってしまうことが想定される。これに対応するには、下地枠の見込み寸法を外壁材等の厚さに応じて長くすればよいが、このようにするためには、予め複数種類の見込み寸法の下地枠を用意しておかなければならず、在庫管理が煩雑になるばかりでなく、コスト高になるという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、構造体の屋外側に外壁材を積層してなる躯体の開口部を開閉するシャッターカーテンと、開口部の左右両側を構成する構造体の屋外側面に固定される左右一対の下地枠と、これら下地枠に着脱自在にそれぞれ固定され、シャッターカーテンの左右両側部を移動案内するガイド溝を備えた左右一対のガイドレールとを備えた建築用シャッター装置において、下地枠を、構造体に固定される固定片と、該固定片から屋外側に向けて延出し、左右方向に対向する一対の内、外側片とを備えて構成し、前記内、外側片の屋外側部位にガイドレールの屋内側部位を固定するにあたり、ガイドレールの溝底片は、下地枠の外側片よりも左右方向内側に偏倚していて、下地枠のガイドレール溝底片よりも左右方向外方部位にはガイドレールが積層されないスペースが形成されたものとし、該スペースに、ガイドレール溝底片に突当てられる突当て片と、該突当て片の屋外側端縁から左右方向外方に延出して屋外側に露出する露出片と、該露出片の左右方向外端縁から屋内側に延出して下地枠の外側片に沿う支持片とにより形成された補助枠を配設して、支持片の延出端部である固定片を下地枠外側片に左右方向外方から内方に向けて突当てた状態で固定すると共に、支持片と外壁材とのあいだを封止材を介して封止したことを特徴とする建築用シャッター装置におけるガイドレール取付け構造である。
請求項２の発明は、補助枠は、金属製板材を折曲して形成されていることを特徴とする請求項１に記載の建築用シャッター装置におけるガイドレール取付け構造である。
【発明の効果】
【０００６】
請求項１の発明とすることにより、ガイドレールを一種類の見込み寸法の下地枠に固定する構成のものでありながら、厚さの異なる外壁材等を設けた場合であっても、外壁材との封止を確実に行なうことができるうえ、ガイドレールの躯体からの取外しを可能とすることができて、汎用性を高めることができる。
請求項２の発明とすることにより、加工が容易で、一層のコスト低下に寄与できる。
【図面の簡単な説明】
【０００７】
【図１】窓部に設けられるシャッター装置の正面図である。
【図２】窓部における縦断面図である。
【図３】窓部における横断面図である。
【図４】図４（Ａ）は要部を説明する横断面図、図４（Ｂ）は補助枠を取り付けない場合の要部を説明する横断面図、
【図５】図５（Ａ）は第二の実施の形態における要部を説明する横断面図、図５（Ｂ）は第三の実施の形態における要部を説明する横断面図、図５（Ｃ）は第四の実施の形態における要部を説明する横断面図である。
【発明を実施するための形態】
【０００８】
以下、本発明の実施の形態について、図面に基づいて説明する。
図面において、１は住宅を構成する躯体であって、該躯体１は柱２ａ等の構造部材により構成される構造体２と、該構造体２の屋外側面２ｂに断熱材３ａを介して固定される外壁材３とにより構成されている。そして、構造体２、断熱材３ａ、外壁材３を貫通して開設される開口部Ｈには、窓装置４と、該窓装置４の屋外側に位置して建築用のシャッター装置５とが設けられている。
【０００９】
前記窓装置４は、図２、３に示すように、躯体１の開口部Ｈ周縁部を構成する構造体２（柱２ａ等の構造部材）の開口部Ｈにおける端面（見込み方向の端面）である左右方向および上下方向の内端面２ｃに沿って固定される縦、横サッシ枠６、７と、これら縦、横サッシ枠６、７に左右方向引き違い式にスライド移動自在に嵌め込まれて、開口部Ｈを開閉する左右一対のガラス障子（図示せず）とにより構成されている。
前記縦、横サッシ枠６、７はそれぞれアルミ押出し型材により、構造体２の内端面２ｃに沿うベース片６ａ、７ａと、これらベース片６ａ、７ａから開口部Ｈ側（左右方向内方、上下方向内方）に突出し、ガラス障子を移動案内する屋内外方向一対のガイド片６ｂ、７ｂとを備えて形成されている。前記ベース片６ａ、７ａは構造体２の屋外側面２ｂよりも屋外側に突出して設けられており、ベース片６ａ、７ａの屋内外方向中間部には、左右方向外方、上下方向外方に向けて突出する位置決め片６ｃ、７ｃが形成されている。そして、縦、横サッシ枠６、７は、ベース片６ａ、７ａを構造体２の内端面２ｃに突当てるとともに、位置決め片６ｃ、７ｃを開口部Ｈの周縁部を構成する構造体２の屋外側面２ｂに積層状に突当てることにより、縦、横サッシ枠６、７が屋内外方向に位置決め状に配設されている。
【００１０】
そして、窓装置４の屋外側に建築用のシャッター装置５が設けられている。前記シャッター装置５を構成するシャッターカーテン８は、開口部Ｈの上方に設けられるシャッターケース９に回転自在に支持される巻取りドラム１０に巻装されている。また、開口部Ｈの窓装置４よりも左右方向外方となる部位には、後述するように、左右一対の下地枠１１が固定され、これら下地枠１１にガイドレール１２がそれぞれ着脱自在に設けられており、これらガイドレール１２のガイド溝１２ａにシャッターカーテン８の左右両側縁部が嵌挿されている。そして、前記巻取りドラム１０が正逆回転することに伴い、シャッターカーテン８が巻取りドラム１０から巻出し、巻取りされることにより開口部Ｈを開閉することは従来通りの構成となっている。
【００１１】
つぎに、シャッター装置５の躯体１への取付け状態について説明する。
ここで、前記窓装置４およびシャッター装置５は躯体１の構成部材である構造体２が組込まれた状態であって、断熱材３ａおよび外壁３が組込まれる前の段階の開口部Ｈに対して建て付けられるように構成されており、開口部Ｈ周縁部を構成する構造体２に対して窓装置４の縦、横サッシ枠６、７を取付けした後にシャッター装置５を取付けるように構成されている。
【００１２】
そして、開口部Ｈの左右両側を構成する構造体２の屋外側面２ｂであって、予め構造体２の内端面２ｃに取付けられた左右一対の縦サッシ枠６の左右方向外方に隣接してシャッター装置５の下地枠１１およびガイドレール１２が取付けられている。
前記下地枠１１は上下方向長尺状のアルミ押出し型材で一体形成されており、図３、図４（Ａ）に示すように、構造体２の屋外側面２ｂに固定される固定片１１ａと、固定片１１ａの左右方向内端部から屋外側に突出する内側片１１ｂと、固定片１１ａの左右方向外端部から屋外側に突出し、内側片１１ｂに対して左右方向に対向する外側片１１ｃと、外側片１１ｃの突出端（屋外側端）から左右方向内方に延出する延出片１１ｄとにより、屋外側の左右方向内方に開口が形成された四角筒形状に形成されている。
【００１３】
前記下地枠１１を構造体２に組込み固定する場合に、固定片１１ａを、構造体２の屋外側面２ｂに予め固定される縦サッシ枠６の位置決め片６ｃに積層状に突当てることにより屋内外方向の位置決めがなされている。一方、前記縦サッシ枠６のベース片６ａは、屋外側端縁に左右方向外方に突出する下地枠位置決め片６ｄが形成されており、下地枠１１の内側片１１ｂを下地枠位置決め片６ｄに突当てることにより左右方向の位置決めがなされている。そして、この下地枠１１を構造体２に対して位置決めした状態において、内側片１１ｂと延出片１１ｄとのあいだに形成される開口から挿入した螺子２ｄを、下地枠１１の固定片１１ａ、縦サッシ枠６の位置決め片６ｃを貫通して構造体２に螺合することにより、下地枠１１が縦サッシ枠６とともに構造体２に固定されている。
ここで、１１ｅは固定片１１ａの左右方向外端部から屋内側に向けて突出形成された突片であって、固定片１１ａを縦サッシ枠６の位置決め片６ｃに突当てたとき、突片１１ｅが構造体２の屋外側面２ｂに当接するように寸法設定されており、下地枠１１の屋内外方向長さである見込み寸法Ｄを、突片１１ｅの突出端面から延出片１１ｄに至る長さとして設定する。
また、前記下地枠１１は、外側片１１ｃに続く延出片１１ｄの延出端部（左右方向内端部）に、屋内側に向けて傾斜状に突出する係止片１１ｆが形成されているとともに、内側片１１ｂの屋外側端部には、左右方向外方に段差状となる段差部１１ｇを介して螺子受け片１１ｈが形成されている。
【００１４】
一方、前記ガイドレール１２は、下地枠１１と同様に上下方向長尺状のアルミ押出し型材で一体形成されており、左右方向内方が開口するガイド溝１２ａを形成するべく屋内外方向に対向する一対のガイド片１２ｂと、これらガイド片１２ｂの左右方向外端部を連結し、本発明の溝底側外片に相当する溝底片１２ｃとを備えて断面コ字形状に形成されている。
さらに、屋外側のガイド片１２ｂの左右方向内端側の部位には、屋内側に向けて直交状に突出する取付け片１２ｄが形成されているとともに、左右方向外端部には、屋内側に向けて傾斜状に突出し、屋内外方向外方が開口する凹溝状の係止受け片１２ｅが形成されている。
【００１５】
そして、ガイドレール１２は、構造体２に固定された下地枠１１の内、外側片１１ｂ、１１ｃの屋外側端部に固定されるが、ガイドレール１２を下地枠１１に組込む場合に、ガイドレール１２を下地枠１１の左右方向内方に対向させ、この状態からガイドレール１２を左右方向外方にスライドさせて、屋内側のガイド片１２ｂに形成された係止受け片１２ｅの凹溝を下地枠１１の係止片１１ｆに外嵌させるとともに、取付け片１２ｄの屋内側端面を下地枠１１の内側片１１ｂに形成された段差部１１ｇに突当てた状態で取付け片１２ｄを螺子受け片１１ｈに積層状に当接させることにより、ガイドレール１２が下地枠１１に仮組込されるように設定されている。そして、このガイドレール１２の仮組込み状態において、上下方向複数箇所においてそれぞれ取付け片１２ｄを貫通する複数の螺子１２ｆを螺子受け片１１ｈに螺合することにより、ガイドレール１２が下地枠１１に固定されている。
このガイドレール１２の下地枠１１への固定状態において、ガイドレール１２の溝底片１２ｃは、下地枠１１の外側片１１ｃよりも左右方向内方となる内側に偏倚しており、溝底片１２ｃの左右方向外方部位であり、かつ、延出片１１ｄの屋外側部位である部位は、ガイドレール１２が積層されないスペースＳとなっている。
【００１６】
また、開口部Ｈ上方の構造体２の屋外側面２ｂにはシャッター装置５のシャッターケース９が固定される。前記シャッターケース９は、図２に示すように、上側板９ａ、前側板９ｂ、屋内外に分割された第一、第二下側板９ｃ、９ｄ、さらには、巻取りドラム１０を軸承する左右一対の左右側板９ｅとを備えてボックス形状に形成されており、シャッターケース９は、上側板９ａおよび第一下側板９ｃの屋内側端縁部を構造体２の屋外側面２ｂに突当てて螺子止め等の手段を用いることにより一体的に固定されている。
さらに、開口部Ｈ下方を構成する構造体２の屋外側面２ｂには、シャッターカーテン８が全閉姿勢に変姿した場合に、シャッターカーテン８の最下端の座板８ａが当接する水切り板１３が固定されている。
【００１７】
そして、シャッター装置５の下地枠１１、ガイドレール１２、シャッターケース９、水切り板１３等の構成部材を構造体２に取付け固定した後、断熱材３ａ、外壁材３を取付けることになるが、本実施の形態では断熱材３ａを厚く介装することにより、構造体２から外壁材３の屋外側面３ｂに至る見込み寸法Ｄ１が下地枠１１の見込み寸法Ｄを上回り、外壁材３の屋外側面３ｂの位置がガイドレール１２の溝底片１２ｃに左右方向において対向する位置となるように設定されている。
これに対し、ガイドレール１２の溝底片１２ｃの左右方向外方部位であり、かつ、下地枠１１の延出片１１ｄの屋外側部位のガイドレール１２が積層されないスペースＳに位置して補助枠１４が配設されている。そして、後述するように、補助枠１４と溝底片１２ｃ対向部位に至る外壁材３とを封止材１５を介して封止する構成としているが、前記補助枠１４は、構造体２に固定される下地枠１１に固定されて、下地枠１１とともに躯体１に一体化されている。具体的には、図４（Ａ）から明らかなように、支持片１４ｃの延出端部である固定片１４ｄを下地枠外側片１１ｃに左右方向外方から突当てた状態で左右方向外方から内方に向くビス１４ｅで固定すると共に、支持片１４ｃと外壁材３とのあいだを、ビス１４ｅよりも屋外側位置において封止材１５を介して封止されている。
【００１８】
前記補助枠１４は、本実施の形態では長尺状の金属製板材（例えば鋼板）を折曲加工することにより形成されており、ガイドレール１２の溝底片１２ｃに突当てられる突当て片１４ａと、突当て片１４ａの屋外側端縁から左右方向外方に延出して屋外側に露出する露出片１４ｂと、露出片１４ｂの左右方向外端縁から屋内側に延出し、下地枠１１の外側片１１ｃに沿うように配される支持片１４ｃとにより断面コ字状に形成されている。そして、支持片１４ｃの延出端部である屋内側端部が下地枠固定片１４ｄとなって下地枠１１の外側片１１ｃに固定されているが、下地枠１１の外側片１１ｃは、屋外側端部が左右方向内方に段差状となる段差部１１ｉを介して積層片１１ｊに形成されており、下地枠固定片１４ｄの屋内側端面を段差部１１ｉに突当てる状態で下地枠固定片１４ｄを積層片１１ｊの左右方向外面に積層し、下地枠固定片１４ｄ側から貫通する螺子１４ｅを積層片１１ｊに螺合することで補助枠１４が下地枠１１に固定されている。このとき、本実施の形態の補助枠１４は、露出片１４ｂがガイドレール１２の屋外側のガイド片１２ｂと面一状となり、支持片１４ｃおよび下地枠固定片１４ｄが下地枠１１の外側片１１ｃと面一状となるように固定されている。さらに、本実施の形態の補助枠１４は、露出片１４ｂに対する突当て片１４ａの折曲角度を僅かに鈍角状として折曲されており、これによって、突当て片１４ａがガイドレール１２の溝底片１２ｃに対して押圧状に当接しており、これによって、下地枠１１、ガイドレール１２、補助枠１４とは互いに一体化された状態のガイド部品を構成している。
【００１９】
そして、シャッター装置５の外周回りの構造体２に、シャッター装置５のシャッターケース９、ガイド部品、水切り板１３とのあいだに所定の隙間を存する状態で断熱材３ａ、外壁材３とを積層して設けた後、シャッターケース９と外壁材３との対向部位、左右のガイド部品と外壁材３との対向部位、水切り板１３と外壁材３との対向部位とのあいだにそれぞれ形成される各隙間に封止材１５を設けてこれらのあいだを封止する。このとき、下地枠１１、ガイドレール１２、補助枠１４とにより構成されるガイド部品において、外壁材３の屋外側面３ｂは下地枠１１を越えてガイドレール１２の溝底片１２ｃに対向する位置にまで達しており、ガイド部品と外壁材３とのあいだの封止は、ガイドレール１２の溝底片１２ｃに左右方向に対向して設けられる補助枠１４の支持片１４ｃと外壁材３とのあいだにおいてなされていて、ガイドレール１２の下地枠１１に対する着脱構成が損なわれることがないように構成されている。これによって、メンテナンスやリフォーム時にガイドレール１２を取外す場合では、ガイドレール１２の取付け片１２ｄを螺合する複数の螺子１２ｆを取外し、左右方向内方に向けて引出すことで係止受け片１２ｅと下地枠１１の係止片１１ｆとの係止が外れて、ガイドレール１２を下地枠１１から取外すことができ、外壁材３とのあいだの封止材１５を壊すことなく容易に取外せるように構成されている。
【００２０】
叙述の如く構成された本形態において、構造体２の屋外側に外壁材３を積層してなる躯体１の開口部Ｈに窓装置４を設け、該窓装置４の屋外側に、シャッターカーテン８と、躯体開口部１の両側を構成する構造体２の屋外側面２ｂに固定される左右一対の下地枠１１と、これら下地枠１１にそれぞれ着脱自在に固定されるガイドレール１２とを備えたシャッター装置５を設ける場合に、下地枠１１を、構造体２に固定される固定片１１ａと、該固定片１１ａから屋外側に向けて延出し、左右方向に対向する一対の内、外側片１１ｂ、１１ｃとを備えて構成し、前記内、外側片１１ｂ、１１ｃの屋外側部位にガイドレール１２の屋内側部位が固定されている。そして、ガイドレール１２の左右方向外方の溝底側外片である溝底片１２ｃの外方には補助枠１４が設けられ、該補助枠１４と外壁材３とのあいだが封止材１５を介して封止されるが、この補助枠１４は下地枠１１に固定されている。これによって、構造体２に設けられる断熱材３ａや外壁３が厚く、構造体２から外壁材３の屋外側面３ｂに至る見込み寸法Ｄ１が下地枠１１の見込み寸法Ｄを上回って、外壁材３の屋外側面３ｂがガイドレール１２の溝底片１２ｃに左右方向において対向するような場合であっても、ガイド部品（下地枠１１）と外壁材３とのあいだの封止材１５による封止が補助枠１４と外壁材３とのあいだで行なわれて、確実な封止を行うことができる。そのうえ、ガイドレール１２の溝底片１２ｃと外壁材３とのあいだが直接封止されることがないので、リフォームやメンテナンス時に封止材１５を破壊することなくガイドレール１２を躯体１（構造体２）から取外すことができる。この結果、ガイドレール１２を一種類の見込み寸法Ｄの下地枠１１に固定する構成としたものでありながら、厚さの異なる外壁材３や断熱材３ａを設けた場合であっても、外壁材３との封止を確実に行なえるとともに、ガイドレール１２の躯体１からの取外しが容易で、汎用性の高いガイド部品とすることができて、コスト低下を図ることができる。
【００２１】
このように、本発明が実施されたものにあっては、下地枠１１に固定される補助枠１４をガイドレール１２の左右方向外方に位置して設けることにより、構造体２から外壁３の屋外側面３ｂに至る見込み寸法Ｄ１が下地材１１の見込み寸法Ｄを上回る場合であっても、ガイドレール１２と外壁３とを直接封止することがないようにしたものであるが、補助枠１４は、ガイドレール１２の溝底片１２ｃに突当てられる突当て片１４ａと、突当て片１４ａの屋外側端縁から左右方向外方に延出して屋外側に露出する露出片１４ｂと、露出片１４ｂの左右方向外端縁から屋内側に延出する支持片１４ｃとを備え、支持片１４ｃの屋内側端部に形成された下地枠固定片１４ｄを下地枠１１の外側片１１ｃに固定する構成としたので、形状、および、下地枠１１への取付け構成が簡略で、さらなるコスト低下を期待できる。
【００２２】
しかも、本実施の形態における補助枠１４は、例えば金属製板材を折曲して形成する構成としたので、加工が容易で、構造体２から外壁材３の屋外側面３ｂまでの見込み寸法に応じた形状を簡単に形成することができ、一層のコスト低下を図ることができる。
【００２３】
因みに、構造体２から外壁材３の屋外側面３ｂに至る見込み寸法Ｄ２が下地枠１１の見込み寸法Ｄよりも小さく、外壁材３の屋外側面３ｂが下地枠１１の外側面に対向する部位に至るように設けられる場合では、図４（Ｂ）の実線で示すように、下地枠１１に補助枠１４を設けることなく、下地枠１１の外側片１１ｃと外壁材３とのあいだを封止材１５を用いて封止してもよいが、前記と同様に補助枠１４を設けたまま（図４（Ｂ）の仮想線）としてもよく、この場合では、外壁３とガイドレール１２とのあいだに形成される段差をなくすことができる。
【００２４】
尚、本発明は前記実施の形態に限定されないことは勿論であって、図５（Ａ）に示す第二の実施の形態のようにすることもできる。
前記第二の実施の形態において、構造体２から外壁材３の屋外側面３ｂに至る見込み寸法Ｄ３は下地枠１１の見込み寸法Ｄよりも大きく、外壁材３の屋外側面３ｂがガイドレール１２の溝底片１２ｃの屋内外方向中間部位置に達するように設定されている。この場合でも、前記第一の実施の形態と同形状の補助枠１４を用い、外壁材３と補助枠１４とを封止材１５により封止することができる。尚、この場合では、補助枠１４は、支持片１４ｃの屋内外方向長さを短く寸法設定して、露出片１４ｂが外壁材３の屋外側面３ｂと面一状になるような形状にしてもよい。
【００２５】
さらに、図５（Ｂ）に示す第三の実施の形態は、下地枠１６の外側片１６ａと、ガイドレール１７の溝底側外片である溝底片１７ａとが左右方向において同位置に形成されている。この場合に、ガイドレール１７の左右方向外方に設けられる補助枠１８は、ガイドレール１７の溝底片１７ａに突当てられる突当て片１８ａ、突当て片１８ａの屋外側端縁から左右方向外方に延出して屋外側に露出する露出片１８ｂと、露出片１８ｂの左右方向外端縁から屋内側に延出する支持片１８ｃと、支持片１８ｃの屋内側端部に形成される下地枠固定片１８ｄとを備えて構成されているが、下地枠固定片１８ｄは、支持片１８ｃに対して段差片１８ｅを介して形成されることにより左右方向内方に偏寄して形成されて、ガイドレール１７の溝底片１７ａと面一状に設けられる下地枠１６の外側片１６ａに固定されるように構成されている。そして、この場合でも、一種類の下地枠１６を用意することで、様々な厚みの外壁材３、断熱材３ａに対してもガイドレール１７の取外しが容易で、かつ、補助枠１８と外壁材３とのあいだを封止材１５により確実に封止することができる。
【００２６】
また、図５（Ｃ）に示す第四の実施の形態において、ガイドレール１９は開口部の形状に合わせて、ガイド溝１９ａの溝底片１９ｂよりも左右方向外方に位置して溝底側外片１９ｃが形成されたものとなっており、溝底側底片１９ｃと、下地枠２０の外側片２０ａとが左右方向において同位置となっている。そして、この場合に、ガイドレール１９の左右方向外方に設けられる補助枠２１は、ガイドレール１９の溝底側外片１９ｃに突当てられる突当て片２１ａ、突当て片２１ａの屋外側端縁から左右方向外方に延出して屋外側に露出する露出片２１ｂと、露出片２１ｂの左右方向外端縁から屋内側に延出する支持片２１ｃと、支持片２１ｃの屋内側端部に形成される下地枠固定片２１ｄとを備えて構成されているが、下地枠固定片２１ｄは、第三の実施の形態と同様に段差片２１ｅを介して形成され、ガイドレール１９の溝底側外片１９ｃと面一状に設けられる下地枠２０の外側片２０ａに固定されるように構成されている。そして、この場合においても、一種類の下地枠２０を用意することで、様々な厚みの外壁材、断熱材に対してもガイドレール１９の取外しが容易で、しかも、補助枠２１と外壁材とのあいだを確実に封止することができる。
【００２７】
また、補助枠は、下地枠に固定される支持片の長さ、ガイドレールの溝底側外片に突当てられる突当て片の長さを、躯体を構成する構造体から外壁材の屋外側面に至る見込み寸法に合わせて適宜寸法設定することができ、露出片の位置がガイドレールの屋外側のガイド片の位置よりも屋外側に位置するような形状にすることも可能であり、これによって、下地枠、ガイドレールの形状を単一のものとしながら、構造体の屋外側に設けられる外壁材等の選択の自由度を大きくすることができて、汎用性の高いガイド部品とすることができる。
【産業上の利用可能性】
【００２８】
本発明は、建築物の開口部、特に、住宅等の開口部に設けられる窓装置の屋外側にシャッター装置を設ける場合に利用することができる。
【符号の説明】
【００２９】
１  躯体
２  構造体
２ｂ  屋外側面
３  外壁材
３ａ  断熱材
４  窓装置
５  シャッター装置
６  縦サッシ枠
８  シャッターカーテン
９  シャッターケース
１０  巻取りドラム
１１  下地枠
１１ａ  固定片
１１ｄ  延出片
１１ｆ  係止片
１１ｈ  螺子受け片
１２  ガイドレール
１２ａ  ガイド溝
１２ｃ  溝底片
１２ｄ  取付け片
１４  補助枠
１４ａ  突当て片
１４ｂ  露出片
１４ｃ  支持片
１４ｄ  下地枠固定片
１５  封止材
【図１】
0005696000.tif 000002
【図２】
0005696000.tif 000003
【図３】
0005696000.tif 000004
【図４】
0005696000.tif 000005
【図５】
0005696000.tif 000006